(57)【要約】【課題】この出願発明は、バチカンとピンとを収納することによりペンダントヘッド及びピンブローチに兼用できるペンダントヘッド及びピンブローチを提供することを課題とする。【解決手段】この出願発明は、収容可能なバチカンと、収容可能なピンとを有するペンダントヘッド及びピンブローチに関する。【選択図】　　　図１
2004024475.tif 000002
【特許請求の範囲】
【請求項１】
収容可能なバチカンと、収容可能なピンとを有することを特徴とするペンダントヘッド及びピンブローチ。
【請求項２】
バチカンが回動することを特徴とする請求項１に記載のペンダントヘッド及びピンブローチ。
【請求項３】
ピンが折曲することを特徴とする請求項１または２に記載のペンダントヘッド及びピンブローチ。
【発明の詳細な説明】
【０００１】
【発明の属する技術分野】この出願発明は、ペンダントヘッド及びピンブローチ兼用金具に関する。
【０００２】
【従来の技術】ペンダントヘッド及びピンブローチは、ネックレス或いはブローチ用に製作されており、両方に使用することはほとんど行われていない。しかし、気に入った宝石等はネックレス及びブローチとして使用したいというのが使用者の要望であった。
また、一つの宝石等を女性あるいは男性がそれぞれの目的に応じて、例えば、ペンダント、ブローチとしてあるいはネクタイピンとして使用したいという要望もあった。
とくに、ピンブローチの場合にはネックレスとブローチの両者をうまく利用できないという問題があった。
【０００３】
【発明が解決しようとする課題】この出願発明は、このような問題を解決するものであり、バチカンあるいはピンを収納することによりペンダントヘッドあるいはピンブローチのいずれにも使用できることを見い出しこの出願発明を完成した。
【０００４】
【課題を解決するための手段】この出願発明は、収容可能なバチカンと、収容可能なピンとを有することを特徴とするペンダントヘッド及びピンブローチに関する。
この出願発明で、ピンブローチとは、いわゆるピンブローチ、ネクタイピン等のピンを利用する装飾品を意味する。
【０００５】
【発明の実施の形態】この出願発明は、ネックレスに固定する、いわゆる、バチカンが回動するペンダントヘッド及びピンブローチであることがとくに好ましい。
バチカンは一つのものでもよいし、ダブルになっているものでもよい。
【０００６】
バチカンの材質は、ネックレスに固定できるものであればとくに限定されず、貴金属、真鍮、ベリリウム鋼、チタンなどの金属、プラスチック、布帛などが使用できるが、装飾の上から、金属が好ましく、プラチナなどの貴金属であることが装飾品であること、耐久性の点でとくに好ましい。
【０００７】
バチカンの形状は、ネックレスに固定でき、収納できるものであればとくに限定されず、円形、多角形などのリング状であるものなどが使用されるが、円形であることがとくに好ましい。
【０００８】
バチカンの収納はとくに限定されないが、収納するための操作或いは収納後の装飾の上から回動自在に収納できるものがとくに好ましい。
回動は、球あるいは円柱等の支点を利用することがとくに好ましい。
バチカンの位置は、とくに限定されないが、本体の端部に設けられることがとくに好ましい。
バチカンは、収納後に動かないように固定できるようにしても良い。
【０００９】
この出願発明のピンは折曲するペンダントヘッド及びピンブローチであることがとくに好ましい。
【００１０】
ピンの材質は、衣服を挿通でき、ピンキャッチと一体となってピンブローチを取り付けることができるものであればとくに限定されず、貴金属、真鍮、ベリリウム鋼、チタンなどの金属、プラスチックなどが使用できるが、装飾の上から、金属が好ましく、プラチナなどの貴金属であることが装飾品であること、耐久性の点でとくに好ましい。
【００１１】
ピンの形状はとくに限定されないが、全体が略円錐形、途中から略円錐形となっているものが好ましい。
とくに、ピンの中間部に、ピンを固定するためにプレートの孔と嵌合する形状のものを取り付けてもよい。
【００１２】
ピンの収納は、収納できるように設けられていればよいが、折り曲げによって収納できることがとくに好ましい。
折り曲げは、ピンの途中で折り曲げることがとくに好ましい。
【００１３】
折り曲げたピンは、そのままでも良いが、固定することがとくに好ましい。
固定は、ピンを固定できる手段であれば良く、とくに限定されないが、ピンを固定するプレートを利用することがとくに好ましい。
また、ピンを使用するときは、ピンを直線上に固定することが好ましく、固定手段はとくに限定されないが、孔のあいたプレートを利用してピンを固定することがとくに好ましい。
【００１４】
孔は、ピンを固定できるものであれば、とくに限定されず、円形、楕円形、多角形などが使用されるが、ピンが略円錐形の場合には、円形であることがとくに好ましい。
孔の大きさをピンの中間部の直径の孔にすることにより、ピンが円錐形であるので、簡単にピンに固定することができる。
また、ピンの途中に固定するための孔を設ける場合には、多角形が好ましい。
【００１５】
【実施例】
以下、実施例によって、この出願発明を具体的に説明する。
図１は、この出願発明のペンダントヘッド及びピンブローチの斜視図であり、図２はこの出願発明のネックレスを示す図であり、図３はこの出願発明のピンブローチを示す図であり、図４は、バチカンの使用時及び収納時を示す図であり、図５は、上から下にピンの使用時及び収納時を示す図であり、図６は、ピンをプレートで固定したときのプレートを固定した状態を示す斜視図及び側面図であり、図７は従来のネックレスを示す図であり、図８は従来のピンブローチを示す図であり、１はペンダントヘッド及びピンブローチの本体、２はバチカン、３はピン、４は孔、５はプレート、６はストッパー、７はネックレス、８は従来のピンブローチ、９は従来のペンダントヘッド、１０はピンキャッチをそれぞれ示す。
【００１６】
実施例
直径が２ｃｍのペンダントヘッド及びピンブローチの本体１に、本体１の上端に円柱を介して回動自在のバチカン２を、また、本体の中心に長さが２ｃｍの略円錐状のピン３を取り付ける。
本体１には、ピン３を固定する孔４のあいたプレート５及びプレートを固定するストッパー６を取り付ける。
このようにして製作したペンダントヘッド及びピンブローチをペンダントヘッドとして使用するときは、バチカンを回動して引き出し、ピンは折り曲げる。
このようにして引き出したバチカンにネックレスを取り付けることによりペンダントとして利用する。
ピンは収納されているので、外部からは見えず、通常のペンダントヘッドが付いたネックレスとして利用できる。
つぎに、ピンブローチとして使用するときは、バチカンを回動して収納し、ピンを立てて、プレートの孔をピンを通して当ててピンを固定する。プレートは２本のストッパーにより両側からプレートを固定する。
このようにして垂直にしたピンにより衣服を通してピンキャッチにより衣服にピンブローチを留める。
バチカンは収納されているので、外部からは見えず、通常のピンブローチとして利用できる。
【００１７】
【発明の効果】この出願発明により、ペンダントヘッド及びピンブローチの本体のバチカンあるいはピンを利用することにより、ネックレスとしてあるいはブローチとして安全にしかも簡単に利用することができる。
したがって、わざわざネックレスあるいはブローチを購入せずに、気に入った宝石あるいは貴金属の装飾品である本体をペンダントヘッド及びピンブローチとして利用できるので、経済的であるばかりでなく、そのときそのときにあった装飾品としてあるいは衣服にあった装飾品として、多様なコーディネイトを楽しむことができる。
また、一つの宝石類を男性と女性が、ネクタイピン、ペンダントあるいはブローチとして楽しむことができる。
【図面の簡単な説明】
【図１】この出願発明のペンダントヘッド及びピンブローチの斜視図。
【図２】この出願発明のネックレスを示す図。
【図３】この出願発明のピンブローチを示す図。
【図４】バチカンの使用時及び収納時を示す図。
【図５】上から下にピンの使用時及び収納時を示す図。
【図６】ピンをプレートで固定したときのプレートを固定した状態を示す斜視図及び側面図。
【図７】従来のネックレスを示す図。
【図８】従来のピンブローチを示す図。
【符号の簡単な説明】
１　ペンダントヘッド及びピンブローチの本体
２　バチカン
３　ピン
４　孔
５　プレート
６　ストッパー
７　ネックレス
８　従来のピンブローチ
９　従来のペンダントヘッド
１０　ピンキャッチ
【図１】
2004024475.tif 000003
【図２】
2004024475.tif 000004
【図３】
2004024475.tif 000005
【図４】
2004024475.tif 000006
【図５】
2004024475.tif 000007
【図６】
2004024475.tif 000008
【図７】
2004024475.tif 000009
【図８】
2004024475.tif 000010